(57)【要約】【課題】幕板を吊戸棚と面一に設置できるレンジフードを提供することを目的とする。【解決手段】天井２面から間隔を設けて配置されるレンジフード本体１と、個のレンジフード本体１と天井２面との空間を前方から目隠しするようにレンジフード本体１の前部上方に配設される幕板４とを設け、幕板４の下面に設けられ下方に突出する突部３０がレンジフード本体１の天面部に設けられた凹部１０に案内されて、幕板４がレンジフード本体１に保持されるレンジフードの構成とすることにより、幕板を側方に設けられる吊戸棚と面一に設置することができる。【選択図】 図２
2005226962.tif 000002
【特許請求の範囲】
【請求項１】
天井面から間隔を設けて配置されるレンジフード本体と、このレンジフード本体と前記天井面との空間を前方から目隠しするように前記レンジフード本体の前部上方に配設される幕板とを備え、前記幕板の下面に設けられ下方に突出する突部が前記レンジフード本体の天面部に設けられた凹部に案内されて、前記幕板が前記レンジフード本体に保持されることを特徴とするレンジフード。
【請求項２】
天井面から間隔を設けて配置されるレンジフード本体と、このレンジフード本体と前記天井面との空間を前方から目隠しするように前記レンジフード本体の前部上方に配設される幕板と、前記レンジフード本体の天面部に配設される凹部とを備え、前記幕板の下面の内側に設けられ、前記レンジフード本体の天面部を貫通する取付ねじに螺合され前記取付ねじを下方から締めつけることにより下方へ移動する取付部材を、前記凹部に対応する前記幕板の下面に上方から押圧させて前記幕板を前記レンジフード本体に固定することを特徴とするレンジフード。
【請求項３】
天井面から間隔を設けて配置されるレンジフード本体と、このレンジフード本体と前記天井面との空間を前方から目隠しするように前記レンジフード本体の前部上方に配設される幕板と、この幕板の下方で前記レンジフード本体の前方に配置されるフロントフードとを備え、前記フロントフードの天面部および前記幕板の前面部を連結し、前記幕板の前方への倒れを規制する幕板支持部材を設けたことを特徴とするレンジフード。
【請求項４】
フロントフードの天面部と接する前記幕板支持部材の下面を前記フロントフードに螺合された調整ねじで上方に押し上げて前記幕板の前方への倒れを規制することを特徴とする請求項３記載のレンジフード。
【請求項５】
天井面から間隔を設けて配置されるレンジフード本体と、このレンジフード本体と前記天井面との空間を前方から目隠しするように前記レンジフード本体の前部上方に配設される幕板とを備え、前記レンジフード本体の天面部の前方側に下方より螺合された調整ねじで前記幕板の下面の前方側を上方に押し上げて前記幕板の前方への倒れを規制することを特徴とするレンジフード。
【請求項６】
天井面から間隔を設けて配置されるレンジフード本体と、このレンジフード本体と前記天井面との空間を前方から目隠しするように前記レンジフード本体の前部上方に配設される幕板とを備え、前記レンジフード本体の天面部の前方側に設けられ上方に向かって開く切り起こし部により前記幕板の下面の前方側を上方に押し上げて前記幕板の前方への倒れを規制することを特徴とするレンジフード。
【請求項７】
天井面から間隔を設けて配置されるレンジフード本体と、このレンジフード本体と前記天井面との空間を前方から目隠しするように前記レンジフード本体の前部上方に配設される幕板とを備え、前記幕板の下面の前方側に設けられ下方に向かって開く切り起こし部を前記レンジフード本体の天面部の前方側に当接させて前記幕板の前方への倒れを規制することを特徴とするレンジフード。
【請求項８】
天井面から間隔を設けて配置されるレンジフード本体と、このレンジフード本体と前記天井面との空間を前方から目隠しするように前記レンジフード本体の前部上方に配設される幕板とを備え、前記幕板の前面内側、および前記レンジフード本体の前部内側のそれぞれに連結片を設け、一方の前記連結片に設けた穴に挿入した調整ねじのねじ部を他方の前記連結片に螺合させて前記調整ねじの締め具合を調整することで前記幕板の前方への傾きを調整することを特徴とするレンジフード。
【請求項９】
天井面から間隔を設けて配置されるレンジフード本体と、このレンジフード本体と前記天井面との空間を前方から目隠しするように前記レンジフード本体の前部上方に配設される幕板とを備え、前記幕板の側面に設けられ外方に向かって開く切り起こし部を前記幕板の側方に設けられる吊戸棚などの部材に当接させて前記幕板の前方への倒れを規制することを特徴とするレンジフード。
【発明の詳細な説明】
【技術分野】
【０００１】
本発明はレンジフード本体と天井面とに形成される空間を目隠しする幕板を有するレンジフードに関する。
【背景技術】
【０００２】
近年、家庭用設備商品に対して優れたデザイン性が要求され、システムキッチンにおいても、キッチンに設置される吊戸棚と融合したシンプルで目立たないデザイン性の高いレンジフードが求められている。
【０００３】
従来、この種のレンジフードの一例として図１２、図１３、および図１４に示すものが知られている。
【０００４】
以下、その構成について図１２、図１３、および１４を参照しながら説明する。
【０００５】
図に示すように、調理時に発生する油煙や蒸気を排気するレンジフード本体１０１が天井（図示せず）より固定された吊ボルト１０８により固定され、このレンジフード本体１０１の前面にはフロントフード１０３が設置されている。レンジフード本体１０１を運転すると、調理で発生した油煙や蒸気は室内の空気とともにレンジフード本体１０１の下部開口部より吸引されて排気ダクト１０７を通り屋外へ排出される。
【０００６】
このレンジフード本体１０１の天面部にはシステムキッチン内のインテリア性を高めるために、排気ダクト１０７、吊ボルト１０８、および電源接続部（図示せず）等を隠蔽する目的で幕板１０４が設置される。この幕板１０４の取付方法は、レンジフード本体１０１の天面部に設けられる長孔１０９にレンジフード本体１０１の下方より取付ねじ１０５に緩衝部材１１１を挟み、この取付ねじ１０５と係合してコの字状に形成される幕板取付金具１０６が設置され、レンジフード本体１０１の天面部および幕板取付金具１０６の間に幕板１０４の下面を介在させ取付ねじ１０５を締付けすることにより幕板を設置している。また、システムキッチンの場合、レンジフード本体１０１の側方部には家庭で使用される台所用品を収納し、かつシステムキッチンの視覚的なデザイン性を高める効果のある吊戸棚１１０が必ず設置されることとなる。
【０００７】
なお、従来のレンジフードとして、幕板の取付方法としてレンジフード本体の上面と幕板下面との間に断熱性の連結部を介して高さ調整部材が確実な熱遮断状態で連結され、幕板と高さ調整部材とが略コ字形に形成された連結部材によって隙間が形成されるばかりか、高さ調整部材が幕板の断熱性を有する水平な底板に取りつけられるという構成のものもある。
【特許文献１】特開２０００−１８６６４号公報
【発明の開示】
【発明が解決しようとする課題】
【０００８】
このような従来のレンジフードでは、天井に固定された吊ボルト１０８にレンジフード本体１０１が固定される際にレンジフード本体１０１の天面部が必要以上に天井面側に引き寄せられることがあり、結果的にレンジフード本体１０１の天面部が変形することとなり、レンジフード本体１０１の天面部に設置された幕板１０４が前方に傾く（Ａ＝１°〜５°）という現象が起こり、レンジフード本体１０１の側方部に設けられた吊戸棚１１０より幕板の上部分が前方に飛び出してしまい、美観上見苦しく、デザイン性を特に要求されるシステムキッチンにおいては致命的になるという課題があった。
【０００９】
本発明は上記課題を解決するものであり、幕板が吊戸棚と略面一に設置できて美的外観に優れたレンジフードを提供することを目的とする。
【課題を解決するための手段】
【００１０】
本発明の幕板取付装置は上記目的を達成するために、天井面から間隔を設けて配置されるレンジフード本体と、このレンジフード本体と前記天井面との空間を前方から目隠しするように前記レンジフード本体の前部上方に配設される幕板とを備え、前記幕板の下面に設けられ下方に突出する突部が前記レンジフード本体の天面部に設けられた凹部に案内されて、前記幕板が前記レンジフード本体に保持されることを特徴とするものである。
【００１１】
また他の手段は、天井面から間隔を設けて配置されるレンジフード本体と、このレンジフード本体と前記天井面との空間を前方から目隠しするように前記レンジフード本体の前部上方に配設される幕板と、前記レンジフード本体の天面部に配設される凹部とを備え、前記幕板の下面の内側に設けられ、前記レンジフード本体の天面部を貫通する取付ネジに螺合され前記取付ネジを下方から締めつけることにより下方へ移動する取付部材を、前記凹部に対応する前記幕板の下面に上方から押圧させて前記幕板を前記レンジフード本体に固定することを特徴とするものである。
【００１２】
また他の手段は、天井面から間隔を設けて配置されるレンジフード本体と、このレンジフード本体と前記天井面との空間を前方から目隠しするように前記レンジフード本体の前部上方に配設される幕板と、この幕板の下方で前記レンジフード本体の前方に配置されるフロントフードとを備え、前記フロントフードの天面部および前記幕板の前面部を連結し、前記幕板の前方への倒れを規制する幕板支持部材を設けたことを特徴とするものである。
【００１３】
また他の手段は、フロントフードの天面部と接する前記幕板支持部材の下面を前記フロントフードに螺合された調整ねじで上方に押し上げて前記幕板の前方への倒れを規制することを特徴とするものである。
【００１４】
また他の手段は、天井面から間隔を設けて配置されるレンジフード本体と、このレンジフード本体と前記天井面との空間を前方から目隠しするように前記レンジフード本体の前部上方に配設される幕板とを備え、前記レンジフード本体の天面部の前方側に下方より螺合された調整ねじで前記幕板の下面の前方側を上方に押し上げて前記幕板の前方への倒れを規制することを特徴とするものである。
【００１５】
また他の手段は、天井面から間隔を設けて配置されるレンジフード本体と、このレンジフード本体と前記天井面との空間を前方から目隠しするように前記レンジフード本体の前部上方に配設される幕板とを備え、前記レンジフード本体の天面部の前方側に設けられ上方に向かって開く切り起こし部により前記幕板の下面の前方側を上方に押し上げて前記幕板の前方への倒れを規制することを特徴とするものである。
【００１６】
また他の手段は、天井面から間隔を設けて配置されるレンジフード本体と、このレンジフード本体と前記天井面との空間を前方から目隠しするように前記レンジフード本体の前部上方に配設される幕板とを備え、前記幕板の下面の前方側に設けられ下方に向かって開く切り起こし部を前記レンジフード本体の天面部の前方側に当接させて前記幕板の前方への倒れを規制することを特徴とするものである。
【００１７】
また他の手段は、天井面から間隔を設けて配置されるレンジフード本体と、このレンジフード本体と前記天井面との空間を前方から目隠しするように前記レンジフード本体の前部上方に配設される幕板とを備え、前記幕板の前面内側、および前記レンジフード本体の前部内側のそれぞれに連結片を設け、一方の前記連結片に設けた穴に挿入した調整ねじのねじ部を他方の前記連結片に螺合させて前記調整ねじの締め具合を調整することで前記幕板の前方への傾きを調整することを特徴とするものである。
【００１８】
また他の手段は、天井面から間隔を設けて配置されるレンジフード本体と、このレンジフード本体と天井面との空間を前方から目隠しするように前記レンジフード本体の前部上方に配設される幕板とを備え、前記幕板の側面に設けられ外方に向かって開く切り起こし部を前記幕板の側方に設けられる吊戸棚などの部材に当接させて幕板の前方への倒れを規制する構成としたものである。
【００１９】
以上のそれぞれの手段により、幕板が吊戸棚とほぼ面一に設置できるレンジフードが得られる。
【発明の効果】
【００２０】
本発明によれば、幕板の前方への倒れを規制し、または調整する構成としたので、幕板がシステムキッチンの一構成要素部である吊戸棚などと略面一に形成できるレンジフードが得られる。
【発明を実施するための最良の形態】
【００２１】
本発明の請求項１記載のレンジフードの発明は、天井面から間隔を設けて配置されるレンジフード本体と、このレンジフード本体と前記天井面との空間を前方から目隠しするように前記レンジフード本体の前部上方に配設される幕板とを備え、前記幕板の下面に設けられ下方に突出する突部が前記レンジフード本体の天面部に設けられた凹部に案内されて、前記幕板が前記レンジフード本体に保持されることを特徴とするものであり、天井より固定された吊ボルトにレンジフード本体が固定される際にレンジフード本体の天面部が必要以上に天井面側に引き寄せられることがあり、結果的にレンジフード本体の天面部が変形してレンジフード本体の天面部に設置された幕板が前方に傾くという現象が起こっても、前記凹部に前記突部が保持されるので、レンジフード本体に幕板が安定して保持されるという作用を有する。
【００２２】
また、請求項２記載のレンジフードの発明は、幕板の下面の内側に設けられ、レンジフード本体の天面部を貫通する取付ネジに螺合され取付ネジを下方から締めつけることにより下方へ移動する取付部材を、前記レンジフード本体の天面部に配設される凹部に対応する前記幕板の下面に上方から押圧させて前記幕板を前記レンジフード本体に固定することを特徴としたものであり、仮に、レンジフード本体の天面部が変形し、レンジフード本体の天面部に設置された幕板が前方に傾くという現象が起こっても、取付ねじを締付けすることにより幕板の下部がレンジフード本体天面部の凹部に案内されてレンジフード本体に幕板が固定されるという作用を有する。
【００２３】
また、請求項３記載のレンジフードの発明は、幕板の下方でレンジフード本体の前方に配置されるフロントフードの天面部および幕板の前面部を連結し、幕板の前方への倒れを規制する幕板支持部材を設けたことを特徴とするものであり、前記フロントフードを取りつけることで、フロントフードの天面部に幕板支持部材の下部が当接されて、前記幕板が保持されるという作用を有する。
【００２４】
また、請求項４記載の発明は、請求項３記載のレンジフードにおいて、フロントフードの天面部と接する幕板支持部材の下面を前記フロントフードに螺合された調整ねじで上方に押し上げて幕板の前方への倒れを規制することを特徴とするものであり、仮に、レンジフード本体の天面部が変形し、レンジフード本体の天面部に設置された幕板が前方に傾くという現象が起こっても、フロントフードの天面を貫通する調整用ねじを締付けすることにより幕板支持部材によって幕板が後方に押圧され、幕板の前方への傾きを調整することができるという作用を有する。
【００２５】
また、請求項５記載のレンジフードの発明は、レンジフード本体の天面部の前方側に下方より螺合された調整ねじで幕板の下面の前方側を上方に押し上げて幕板の前方への倒れを規制することを特徴とするものであり、仮に、レンジフード本体の天面部が変形し、レンジフード本体の天面部に設置された幕板が前方に傾くという現象が起こっても、レンジフード本体の天面部に設けた調整ねじを締めつけて幕板の下部に当接することにより、前記幕板が後方側に傾くような外力が前記調整ねじの締めつけ度合いで調整されて前記幕板が保持されるという作用を有する。
【００２６】
また、請求項６記載のレンジフードの発明は、レンジフード本体の天面部の前方側に設けられ上方に向かって開く切り起こし部により幕板の下面の前方側を上方に押し上げて幕板の前方への倒れを規制することを特徴とするものであり、仮に、レンジフード本体の天面部が変形し、レンジフード本体の天面部に設置された幕板が前方に傾くという現象が起こっても、レンジフード本体の天面部に設けた切り起こし部を前記幕板の下部に向かって上方に持ち上げて前記幕板の下面に当接し前記幕板が後方側に傾くような外力が働くので前記幕板が保持されるという作用を有する。
【００２７】
また、請求項７記載のレンジフードの発明は、幕板の下面の前方側に設けられ下方に向かって開く切り起こし部をレンジフード本体の天面部の前方側に当接させて幕板の前方への倒れを規制することを特徴とするものであり、仮に、レンジフード本体の天面部が変形し、レンジフード本体の天面部に設置された幕板が前方に傾くという現象が起こっても、幕板の下面部に設けた切り起こし部をレンジフード本体の天面部に向かって下方に押し下げて前記レンジフード本体の天面部に当接し前記幕板が後方側に傾くような外力が働くので前記幕板が保持されるという作用を有する。
【００２８】
また、請求項８記載のレンジフードの発明は、幕板の前面内側、および前記レンジフード本体の前部内側のそれぞれに連結片を設け、一方の前記連結片に設けた穴に挿入した調整ねじのねじ部を他方の前記連結片に螺合させて前記調整ねじの締め具合を調整することで幕板の前方への傾きを調整することを特徴とするものであり、仮に、レンジフード本体の天面部が変形し、レンジフード本体の天面部に設置された幕板が前方に傾くという現象が起こっても、前記調整ねじを締付け具合を調整することで前記幕板が後方側に傾くような外力が前記調整ねじの締めつけ度合いで調整されて前記幕板が保持されるという作用を有する。
【００２９】
また、請求項９記載のレンジフードは、幕板の側面に設けられ外方に向かって開く切り起こし部を幕板の側方に設けられる吊戸棚などの部材に当接させて幕板の前方への倒れを規制することを特徴とするものであり、仮に、レンジフード本体の天面部が変形し、レンジフード本体の天面部に設置された幕板が前方に傾くという現象が起こっても、前記切り起し部が側方に設けられる吊戸棚などに当接して前記幕板の上部を後方側に押すような外力が働くので前記幕板が保持されるという作用を有する。
【００３０】
以下、本発明の実施例について、図を参照しながら説明する。
【００３１】
（実施の形態１）
本発明のレンジフードは、天井２面から間隔を設けて配置されるレンジフード本体１と天井２面との空間を前方から目隠しするようにレンジフード本体１の前部上方に配設される幕板４を設け、幕板４の下面に設けられ下方に突出する突部３０がレンジフード本体１の天面部に設けられた凹部１０に案内されて、幕板４がレンジフード本体１に保持される構成である。また、幕板４の下面の内側に設けられ、レンジフード本体１の天面部を貫通する取付ねじ５に螺合され取付ねじ５を下方から締めつけることにより下方へ移動する取付部材６を、凹部１０に対応する幕板４の下面に上方から押圧させて幕板４をレンジフード本体１に固定する構成としている。以下に詳細な構成を示す。
【００３２】
図１および２に示すように、内部にファンモーターを備えて調理時の油煙や蒸気および下部に設置されるコンロ（図示せず）の燃焼ガスを排気ダクト９より屋外へ排気するレンジフード本体１を配置し、このレンジフード本体１の前面にはレンジフードのスイッチ操作部分（図示せず）を有したフロントフード３を配置し、レンジフード本体１の上部にはレンジフード本体１を天井２から間隔を設けて設置するための吊ボルト１１および、排気ダクト９および電源接続部（図示せず）等を目隠しする目的で幕板４を設置し、レンジフード本体１の天面部にはレンジフード本体１の内側に向かってレンジフード本体１の前方より１０〜３０ｍｍ程度の位置に凹部１０を有している。なお、凹部１０の形成寸法としては内Ｒを１０ｍｍ程度とし、幅寸法を２０〜５０ｍｍとし、レンジフード本体１の天面部の前方両側に２ヶ所設けている。また、凹部の数量については３ヶ所または４ヶ所でもよく、同様の作用効果を有するものである。
【００３３】
また、レンジフード本体の側方には必ず台所で使用される台所用品の収納部を有しシステムキッチンの視覚的なデザイン性を高める効果のある吊戸棚８が設置されている。
【００３４】
レンジフード本体１の取付は、天井２より設置された吊ボルト１１及び吊ボルト１１に係合するナット３１によりレンジフード本体１の天面部分を吊るし固定することになる。この際にレンジフード本体１を堅固に固定したいために吊ボルト１１に係合したナット３１を上方に締付けすぎることによりレンジフード本体１の天面部を吊ボルト１１及び吊ボルト１１に係合したナット３１部を支点とし山形に大きく変形させてしまうことが多々ある。
【００３５】
幕板４の取付方法としては、レンジフード本体１の下部より取付ねじ５をレンジフード本体１の天面の前方に設けた孔部１２に通し、コの字形を形成し両端を下部に向けた取付部材６のねじ孔に螺合させる。次にレンジフード本体１の天面とコの字形を形成した取付部材６との間に幕板４の下部を保持する。幕板４の下部についてはレンジフード本体１の天面部に設けられた凹部１０の位置に配置される突部３０が設けられている。突部３０の形成寸法としては外Ｒを１０ｍｍ以下とし幅寸法１５〜４５ｍｍとする。突部３０の数量についてはレンジフード本体１に設けられた凹部１０と同数量とする。レンジフード本体１が吊ボルト１１に係合したナット３１の締付けすぎにより山形に変形した場合には、取付ねじ５を増し締めすることにより逆コの字形を形成した取付部材６の端部３２にて幕板４の突部３０に相対する凹部３３を下方に押しつけることにより幕板４の下部に設けた突部３０が、レンジフード本体１に設けた凹部１０に案内されることとなり、幕板４の前面は前方に倒れていたものがてこの原理により後方へ傾くことにより、台所用品を収納する機能及びシステムキッチンの視覚的なデザイン性を高める効果のあるレンジフード本体１の側方に必ず取りつけられる吊戸棚８に対して幕板４を面一に形成することができる。
【００３６】
（実施の形態２）
本実施の形態は、幕板４の下方でレンジフード本体１の前方に配置されるフロントフード１５を設け、フロントフード１５の天面部および幕板４の前面部を連結し、幕板４の前方への倒れを規制する幕板支持部材１４を設ける構成とする。また、フロントフード１５の天面部と接する幕板支持部材１４の下面をフロントフード１５に螺合された調整ねじ１６で上方に押し上げて幕板１３の前方への倒れを規制する構成とする。以下に詳細な構成を示す。
【００３７】
図３に示すように、幕板１３の下端部に断面形状がＬ字形の幕板支持部材１４を固定する（取付方法は溶接及びかしめ、ねじ締付け等で良い。）構成とする。この幕板支持部材１４の形成寸法としては、幕板１３の下端部側に当接する片１４ａの寸法を１５〜３０ｍｍ程度とし、フロントフード側に当接する片１４ｂの寸法を３０〜５０ｍｍとし、幅方向（図面の奥行き方向）の寸法を５０ｍｍ程度としたものを２ヶ所に設けている。また、幕板支持部材１４の設置個数については１個、または３個以上でも幕板を保持できるという作用効果を有する。なお、実施の形態１と同様の構成要素については同一符号を付し、その詳細な説明は省略する。
【００３８】
上記構成により、レンジフード本体１の天面が吊ボルト１１を支点とし山形に変形し、幕板１３が前方に傾斜するような状況となったとしても、レンジフード本体１の前方に取りつけられるフロントフード１５をレンジフード本体１に固定することで、フロントフード１５の天面が幕板支持部材１４の下面を押し上げることにより幕板１３を後方に傾斜させるので、幕板１３をレンジフード本体１の側方に取りつけられる吊戸棚８と面一に形成することができる。
【００３９】
さらに、フロントフード１５の天面部と接する幕板支持部材１４の下面を、フロントフード１５に設けられた雌ねじ孔に螺合される調整ねじ１６の締めつけ具合を調整することで押圧自在に構成する。
【００４０】
上記構成により、レンジフード本体１の天面が吊ボルト１１を支点とし山形に変形し、幕板１３が前方に傾斜するような状況となったとしても、レンジフード本体１の前方に取りつけられるフロントフード１５をレンジフード本体１に固定することで、フロントフード１５の天面が幕板支持部材１４の下面を押し上げることにより幕板１３を後方に傾斜させ、かつ、調整用ねじ１６を締付け度合いを調整することにより、フロントフード１５の天面部より突出して幕板支持部材１４の片１４ｂを押圧して幕板支持部材１４とともに幕板１３の傾斜角度を微調整することができるので、幕板１３を吊戸棚と面一とすることができデザイン性にすぐれたシステムキッチンが提供できる。
【００４１】
（実施の形態３）
図４に示すように、レンジフード本体１７の天面部の前方側に下方より螺合された調整ねじ１８で幕板４の下面の前方側を上方に押し上げて幕板４の前方への倒れを規制する構成とする。
【００４２】
レンジフード本体１７の天面部前方より１０〜２０ｍｍの位置に調整ねじ１８をレンジフード本体１７の天面部の前方両側に２ヶ所設けている。なお、調整ねじ１８の数量については３ヶ所または４ヶ所でもよく同様の作用効果を有する。なお、実施の形態１と同様の構成要素については同一符号を付し、その詳細な説明は省略する。
【００４３】
上記構成により、レンジフード本体１７を施工者が取付けるときに、レンジフード本体１７の天面が吊ボルト１１を支点とし山形に変形し、幕板４が前方に傾斜するようなことがあったも、調整ねじ１８を締付けてレンジフード本体１７の天面部より突き出させ、幕板４の下部を押し上げることにより幕板４の傾斜角度を調整することができ、幕板４を吊戸棚８と面一とすることができ、デザイン性にすぐれたシステムキッチンが提供できる。
【００４４】
（実施の形態４）
図５および図６に示すように、レンジフード本体１９の天面部の前方側に設けられ上方に向かって開く切り起こし部２０により幕板４の下面の前方側を上方に押し上げて幕板４の前方への倒れを規制する構成とする。
【００４５】
また、レンジフード本体１９の天面部の前方両側の２ヶ所に切り起こし部２０を設けている。なお、切り起こし部２０の数量については３ヶ所または４ヶ所でもよく同様の作用効果を有する。切り起こし部２０の幅寸法は３０〜５０ｍｍにて構成されている。なお、実施の形態１と同様の構成要素については同一符号を付し、その詳細な説明は省略する。
【００４６】
上記構成により、レンジフード本体１９を施工者が取付けるときに、レンジフード本体１９の天面が吊ボルト１１を支点とし山形に変形し、幕板４が前方に傾斜しするようなことがあったも、切り起こし部２０を上方に押し出すことにより前方に傾いていた幕板４を後方に傾斜させることができ、幕板４を吊戸棚と面一に形成することができる。
【００４７】
（実施の形態５）
図７および図８に示すように、幕板２１の下面の前方側に設けられ下方に向かって開く切り起こし部２２をレンジフード本体１９の天面部の前方側に当接させて幕板２１の前方への倒れを規制する構成とする。
【００４８】
幕板２１の両側下端部に切り起こし部２２を２ヶ所設けている。なお、切り起こし部２２の数量については３ヶ所または４ヶ所でもよく同様の作用効果を有する。切り起こし部２２の幅寸法は３０〜５０ｍｍにて構成されている。なお、実施の形態１と同様の構成要素については同一符号を付し、その詳細な説明は省略する。
【００４９】
上記構成により、レンジフード本体１９を施工者が取付けるときに、レンジフード本体１９の天面が吊ボルト１１を支点とし山形に変形し、幕板２１が前方に傾斜しするようなことがあったも、レンジフード本体１９の天面側に切り起こし部２２を下方に押し下げることにより幕板２１の前面部を後方に傾斜させることができ、幕板２１を吊戸棚と面一に形成することができる。
【００５０】
（実施の形態６）
図９に示すように、幕板２４の前面内側、およびレンジフード本体２３の前部内側のそれぞれに連結片であるＬ形金具２５と止め金具２６を設け、一方の連結片に設けた穴に挿入した調整ねじ２７のねじ部を他方の連結片に螺合させて調整ねじ２７の締め具合を調整することで幕板２４の前方への傾きを調整する構成とする。
【００５１】
レンジフード本体２３には調整ねじ２７を通す孔を設けた止め金具２６の一片がレンジフード本体２３内部の前面に固定され（取付方法は溶接及びかしめ等で良い。）、幕板２４の前部内側部分にはＬ形金具２５が２ヶ所取付られ（取付方法は溶接及びかしめ等で良い。）ている。調整ねじ２７は止め金具２６の孔を通りＬ形金具２５に螺合する構成とする。
【００５２】
上記構成により、レンジフード本体２３を施工者が取付けるときに、レンジフード本体２３の天面が吊ボルト１１を支点とし山形に変形し、幕板２４が前方に傾斜するようなことがあったも、幕板２４の前面が前方に傾斜していても、調整ねじ２７を締め付けることでＬ形金具２５が引き寄せられることにより幕板２４の前面が後方に傾斜させることができ、幕板２４を吊戸棚と面一に形成することができる。
【００５３】
（実施の形態７）
図１０および図１１に示すように、幕板２８の側面に設けられ外方に向かって開く切り起こし部２９を幕板２８の側方に設けられる吊戸棚８などの部材に当接させて幕板２８の前方への倒れを規制する構成とする。レンジフード本体（図示せず）の天面に設置される幕板２８の左右側面上方部には、切り起こし部２９を設けている。
【００５４】
上記構成により、レンジフード本体を施工者が取付けるときに、レンジフード本体の天面が吊ボルトを支点とし山形に変形し、幕板２８が前方に傾斜するようなことがあったも、幕板２８を設置する際に、切り起し部２９が側方に設けられる吊戸棚８などに当接して幕板２８の上部を後方側に押すような外力が働くので、幕板２８の前面上方部を後方に押すことになり、また、切り起こし部２９の端部の吊戸棚８側に弾性力が働き、幕板２８が吊戸棚８に固定されて吊戸棚８と面一に形成することができる。
【産業上の利用可能性】
【００５５】
本発明のレンジフードの幕板を取り付ける構成は、システムキッチンの吊戸棚の側方に取りつけられるダウンウオール等の部材を取り付ける構成にも適用でき有用である。
【図面の簡単な説明】
【００５６】
【図１】本発明の実施の形態１のレンジフードの設置状態を示す斜視図
【図２】同レンジフードの幕板取付け状態を示す断面図
【図３】本発明の実施の形態２のレンジフードの幕板取付け状態を示す断面図
【図４】本発明の実施の形態３のレンジフードの幕板取付け状態を示す断面図
【図５】本発明の実施の形態４のレンジフード本体の構成を示す斜視図
【図６】同レンジフードの幕板取付け状態を示す断面図
【図７】本発明の実施の形態５のレンジフードの幕板の構成を示す斜視図
【図８】同レンジフードの幕板取付け状態を示す断面図
【図９】本発明の実施の形態６のレンジフードの幕板取付け状態を示す断面図
【図１０】本発明の実施の形態７のレンジフードの幕板の構成を示す斜視図
【図１１】同レンジフードの幕板取付け状態を示す断面図
【図１２】従来のレンジフードの設置状態を示す斜視図
【図１３】同レンジフードの構成を示す分解斜視図
【図１４】同レンジフードの幕板取付け状態を示す断面図
【符号の説明】
【００５７】
１    レンジフード本体
２    天井
３    フロントフード
４    幕板
５    取付ねじ
６    取付部材
１０  凹部
１３  幕板
１４  幕板支持部材
１６  調整ねじ
１７  レンジフード本体
１８  調整ねじ
１９  レンジフード本体
２０  切り起こし部
２１  幕板
２２  切り起こし部
２３  レンジフード本体
２４  幕板
２７  調整ねじ
２８  幕板
２９  切り起こし部
３０  突部
【図１】
2005226962.tif 000003
【図２】
2005226962.tif 000004
【図３】
2005226962.tif 000005
【図４】
2005226962.tif 000006
【図５】
2005226962.tif 000007
【図６】
2005226962.tif 000008
【図７】
2005226962.tif 000009
【図８】
2005226962.tif 000010
【図９】
2005226962.tif 000011
【図１０】
2005226962.tif 000012
【図１１】
2005226962.tif 000013
【図１２】
2005226962.tif 000014
【図１３】
2005226962.tif 000015
【図１４】
2005226962.tif 000016